(57)【要約】      （修正有）【課題】長焦点距離で小型化した五枚のレンズからなる撮像レンズを提供する。【解決手段】物体側から像面側へ順次に、第１のレンズＬ１と、第２のレンズＬ２と、第３のレンズＬ３と、第４のレンズＬ４と、第５のレンズＬ５が設けられ、且つ、以下の条件式を満足する。０．５＜ｆ１／ｆ＜０．７、−２＜ｆ２／ｆ＜−０．５、１．６＜ｆ３／ｆ＜２．０、−２．１＜ｆ４／ｆ＜−１．４５、−１．５＜ｆ５／ｆ＜−１．２、ただし、ｆは撮像レンズ全体の焦点距離、ｆ１、ｆ２、ｆ３、ｆ４、ｆ５は:第１、第２、第３、第４、第５レンズの焦点距離である。【選択図】図１
2018028649.tif 000002
【特許請求の範囲】
【請求項１】
物体側から像面側へ順次に、正の屈折力を有する第１のレンズと、負の屈折力を有する第２のレンズと、正の屈折力を有する第３のレンズと、負の屈折力を有する第４のレンズと、負の屈折力を有する第５のレンズとが配置され、且つ以下の条件式(１)〜(５)を満足することを特徴とする撮像レンズ。
０．５＜ｆ１／ｆ＜０．７                (１)
−２＜ｆ２／ｆ＜−０．５              (２)
１．６＜ｆ３／ｆ＜２．０                (３)
−２．１＜ｆ４／ｆ＜−１．４５        (４)
−１．５＜ｆ５／ｆ＜−１．２          (５)
ただし、
ｆ:前記撮像レンズ全体の焦点距離
ｆ１:第１のレンズの焦点距離
ｆ２:第２のレンズの焦点距離
ｆ３:第３のレンズの焦点距離
ｆ４:第４のレンズの焦点距離
ｆ５:第５のレンズの焦点距離
である。
【請求項２】
前記撮像レンズは、さらに、以下の条件式(１ａ)〜(５ａ)を満足することを特徴とする請求項１に記載の撮像レンズ。
１．５ｍｍ＜ｆ１＜３．０ｍｍ          (１ａ)
−５ｍｍ＜ｆ２＜−２ｍｍ            (２ａ)
８ｍｍ＜ｆ３＜１５ｍｍ                (３ａ)
−１２ｍｍ＜ｆ４＜−２ｍｍ          (４ａ)
−１０ｍｍ＜ｆ５＜−４ｍｍ          (５ａ)
である。
【請求項３】
前記撮像レンズは、さらに、以下の条件式(１ｂ)〜(５ｂ)を満足することを特徴とする請求項１に記載の撮像レンズ。
１．５０＜ｎ１＜１．５５           (１ｂ)
１．６０＜ｎ２＜１．７０           (２ｂ)
１．６０＜ｎ３＜１．７０           (３ｂ)
１．５０＜ｎ４＜１．５５           (４ｂ)
１．５０＜ｎ５＜１．５５           (５ｂ)
ただし、
ｎ１:第１のレンズの屈折率
ｎ２:第２のレンズの屈折率
ｎ３:第３のレンズの屈折率
ｎ４:第４のレンズの屈折率
ｎ５:第５のレンズの屈折率
である。
【請求項４】
前記撮像レンズは、さらに、以下の条件式(１ｃ)〜(５ｃ)を満足することを特徴とする請求項１に記載の撮像レンズ。
４０＜ｖ１＜６０           (１ｃ)
１５＜ｖ２＜３０           (２ｃ)
１５＜ｖ３＜３０           (３ｃ)
４０＜ｖ４＜６０           (４ｃ)
４０＜ｖ５＜６０           (５ｃ)
ただし、
ｖ１:第１のレンズのアッベ数
ｖ２:第２のレンズのアッベ数
ｖ３:第３のレンズのアッベ数
ｖ４:第４のレンズのアッベ数
ｖ５:第５のレンズのアッベ数
である。
【請求項５】
前記第１のレンズは、正屈折力レンズであり、、前記第１のレンズの焦点距離は１．５ｍｍ＜ｆ１＜３．０ｍｍという条件式を満足することを特徴とする請求項１に記載の撮  像レンズ。
【請求項６】
前記第２のレンズは１．６０＜ｎ２＜１．７０、１５＜ｖ２＜３０という条件式を満足し、前記第３のレンズは１．６０＜ｎ３＜１．７０、１５＜ｖ３＜３０という関係式を満足することを特徴とする請求項１に記載の撮像レンズ。
ただし、
ｎ２:第２のレンズの屈折率
ｎ３:第３のレンズの屈折率
ｖ２:第２のレンズのアッベ数
ｖ３:第３のレンズのアッベ数
である。
【請求項７】
前記第４のレンズと前記第５のレンズとは、負レンズであり、、前記第４のレンズは、−１２ｍｍ＜ｆ４＜−２ｍｍという条件式を満足し、前記第５のレンズは、−１０ｍｍ＜ｆ５＜−４ｍｍという条件式を満足することを特徴とする請求項１に記載の撮像レンズ。
【請求項８】
前記撮像レンズの焦点距離と光学全長との比は、ｆ／ＴＴＬ＜１．０７という条件式を満足することを特徴とする請求項１に記載の撮像レンズ。
ただし、
ｆ:前記撮像レンズ全体の焦点距離
ＴＴＬ:前記第１のレンズの物体側面から像面までの距離
である。
【請求項９】
前記撮像レンズのＦ値ＦＮｏは、ＦＮｏ≦２．６という条件式を満足し、ＦＮｏは前記撮像レンズ全体の焦点距離と入射瞳径との比であることを特徴とする請求項１に記載の撮像レンズ。
【請求項１０】
前記撮像レンズは、さらに、前記第１のレンズの物体側面の物体側方向に設けられる絞りを備えることを特徴とする請求項１に記載の撮像レンズ。
【発明の詳細な説明】
【技術分野】
【０００１】
本発明は撮像レンズに関し、具体的には、携帯式電子機器の撮像レンズに関する。
【背景技術】
【０００２】
近年、小型撮像レンズの快速発展に伴って、マイクロ型の像取得モジュールに対する要求がますます高まっているが、一般的な撮像レンズの感光素子としては、電荷結合素子や相補性金属酸化導体素子との２種類しかほかない。半導体製造プロセスの発展に伴って、感光素子の画素サイズは、さらに小さくなり、その上、現在の電子製品は、機能が優れ且つ軽薄短小化を発展の方向としているため、良好な結像品質を有する小型化の撮像レンズは、市場の主流になっている。
【０００３】
従来の五枚型の撮像レンズは、第１のレンズ、第２のレンズ、第３のレンズ、第４のレンズ及び第５のレンズが、屈折率分配及び形状が不十分であり、長焦点距離において高解像度で結像することができず、且つ敏感度が高く、光学的長度を短縮し難いという欠陥がある。
【０００４】
そのため、上述の欠陥を克服するために、改良の五枚型の撮像レンズを提供する必要がある。
【発明の概要】
【発明が解決しようとする課題】
【０００５】
上記の技術課題を解決するために、本発明は、新たな撮像レンズを提供しており、面型を合理的に最適化し、屈折力を合理的に分配して、光学材料を合理的に選択することにより、長焦点距離で小型化の五枚のレンズからなる撮像レンズの設計を実現した。当該撮像レンズは、携帯電子機器に適用し、かつ高解像度で結像することができ、光学性能が良い。
【課題を解決するための手段】
【０００６】
本発明に係る撮像レンズは、物体側から像面側へ順次に、正の屈折力を有する第１のレンズと、負の屈折力を有する第２のレンズと、正の屈折力を有する第３のレンズと、負の屈折力を有する第４のレンズと、負の屈折力を有する第５のレンズとが配置され、且つ以下の条件式(１)〜(５)を満足する。
０．５＜ｆ１／ｆ＜０．７          (１)
−２＜ｆ２／ｆ＜−０．５          (２)
１．６＜ｆ３／ｆ＜２．０          (３)
−２．１＜ｆ４／ｆ＜−１．４５    (４)
−１．５＜ｆ５／ｆ＜−１．２      (５)
ただし、
ｆ:前記撮像レンズ全体の焦点距離
ｆ１:第１のレンズの焦点距離
ｆ２:第２のレンズの焦点距離
ｆ３:第３のレンズの焦点距離
ｆ４:第４のレンズの焦点距離
ｆ５:第５のレンズの焦点距離
である。
【０００７】
本発明に係る撮像レンズの一つの好ましい実施例において、前記撮像レンズは、さらに以下の条件式(１ａ)〜(５ａ)を満足する。
１．５ｍｍ＜ｆ１＜３．０ｍｍ       (１ａ)
−５ｍｍ＜ｆ２＜−２ｍｍ           (２ａ)
８ｍｍ＜ｆ３＜１５ｍｍ              (３ａ)
−１２ｍｍ＜ｆ４＜−２ｍｍ          (４ａ)
−１０ｍｍ＜ｆ５＜−４ｍｍ          (５ａ)。
【０００８】
本発明に係る撮像レンズの一つの好ましい実施例において、前記撮像レンズは、さらに以下の条件式(１ｂ)〜(５ｂ)を満足する。
１．５０＜ｎ１＜１．５５           (１ｂ)
１．６０＜ｎ２＜１．７０           (２ｂ)
１．６０＜ｎ３＜１．７０           (３ｂ)
１．５０＜ｎ４＜１．５５           (４ｂ)
１．５０＜ｎ５＜１．５５           (５ｂ)
ただし、
ｎ１:第１のレンズの屈折率
ｎ２:第２のレンズの屈折率
ｎ３:第３のレンズの屈折率
ｎ４:第４のレンズの屈折率
ｎ５:第５のレンズの屈折率
である。
【０００９】
本発明に係る撮像レンズの一つの好ましい実施例において、前記撮像レンズは、さらに以下の条件式(１ｃ)〜(５ｃ)を満足する。
４０＜ｖ１＜６０           (１ｃ)
１５＜ｖ２＜３０           (２ｃ)
１５＜ｖ３＜３０           (３ｃ)
４０＜ｖ４＜６０           (４ｃ)
４０＜ｖ５＜６０           (５ｃ)
ただし、
ｖ１:第１のレンズのアッベ数
ｖ２:第２のレンズのアッベ数
ｖ３:第３のレンズのアッベ数
ｖ４:第４のレンズのアッベ数
ｖ５:第５のレンズのアッベ数
である。
【００１０】
本発明に係る撮像レンズの一つの好ましい実施例において、前記第１のレンズは、正の屈折力を有するレンズであり、前記撮像レンズの主な屈折力を負担し、光学長さを減少することに有利であり、前記第１のレンズの焦点距離は１．５ｍｍ＜ｆ１＜３．０ｍｍという条件式を満足する。
【００１１】
本発明に係る撮像レンズの一つの好ましい実施例において、第２のレンズは１．６０＜ｎ２＜１．７０、１５＜ｖ２＜３０という条件式を満足し、第３のレンズは１．６０＜ｎ３＜１．７０、１５＜ｖ３＜３０という関係式を満足する。
ただし、
ｎ２:第２のレンズの屈折率
ｎ３:第３のレンズの屈折率
ｖ２:第２のレンズのアッベ数
ｖ３:第３のレンズのアッベ数
である。
【００１２】
本発明に係る撮像レンズの一つの好ましい実施例において、前記第４のレンズは、−１２ｍｍ＜ｆ４＜−２ｍｍという条件式を満足し、前記第５のレンズは、−１０ｍｍ＜ｆ５＜−４ｍｍという条件式を満足する。
【００１３】
本発明に係る撮像レンズの一つの好ましい実施例において、前記撮像レンズの焦点距離と光学全長との比は、ｆ／ＴＴＬ＜１．０７という条件式を満足する。
ただし、
ｆ:前記撮像レンズ全体の焦点距離
ＴＴＬ:前記第１のレンズの物体側面から像面までの距離
である。
【００１４】
本発明に係る撮像レンズの一つの好ましい実施例において、前記撮像レンズのＦ値ＦＮｏは、ＦＮｏ≦２．６という条件式を満足する。
ただし、ＦＮｏは前記撮像レンズ全体の焦点距離と入射瞳径との比である。
【００１５】
本発明に係る撮像レンズの一つの好ましい実施例において、前記撮像レンズは、さらに、前記第１のレンズの物体側面の物体側方向に設けられる絞りを備える。
【発明の効果】
【００１６】
関連技術に比べて、本発明に係る撮像レンズは以下の有益な効果を有する。
本発明は、面型を合理的に最適化し、屈折力を合理的に分配して、光学材料を合理的に選択することにより、小型電子機器に適用できる高解像度で結像する長焦点距離の撮像レンズを設計した。前記第１のレンズは、正レンズであり、前記撮像レンズの主な屈折力を負担し、システムの光学長さを効果的に減少することができる。前記第２のレンズと前記第３のレンズとは高屈折率で低アッベ数の材料を採用することにより、システムの色収差を効果的に減少することができる。前記第４のレンズと前記第５のレンズとは、負レンズであり、システムの像面湾曲を効果的に減少することができるため、前記撮像レンズが高結像性能を取得すると共に、低敏感度と良好な光通過量を有し、且つ以下のような優れた光学特性を有し、即ち、ｆ／ＴＴＬ＜１．０７の長焦点距離システムの小型化、ＦＮｏ≦２．６の高感度。
【図面の簡単な説明】
【００１７】
本発明の実施例における技術案をさらに明確に説明するために、以下、実施例の説明に使用される必要な図面を簡単に説明する。当然ながら、以下に説明する図面は本発明の一部の実施例に過ぎず、当業者が、進歩性の労働を付与せずに、これらの図面に基づき、他の図面を得ることもできる。
【００１８】
【図１】本発明に係る撮像レンズの一つの好ましい実施例の構成を示す模式図である。
【図２】図１に示す撮像レンズの像面湾曲を示す図である。
【図３】図１に示す撮像レンズの歪みを示す図である。
【図４】図１に示す撮像レンズの像面湾曲歪みを示す図である。
【図５】図１に示す撮像レンズのデフォーカスのプロフィールを示す図である。
【発明を実施するための形態】
【００１９】
以下、本発明の実施例における図面と結びつけて、本発明の実施例における技術案を明確に完全に説明する。当然ながら、説明する実施例は本発明の一部の実施例に過ぎず、すべての実施例ではない。当業者は、本発明における実施例に基づき、進歩性の労働を付与せずに得られた全ての他の実施例は、何れも本発明の保護範囲に含まれる。
【００２０】
図１に示すように、図１は本発明に係る撮像レンズの一つの好ましい実施例の構成を示す模式図である。図１において、左側は物体側であり、右側は像面側である。前記撮像レンズＬＡは、主に、同軸設置される５つのレンズからなり、物体側から像面１９０へ順次に第１のレンズＬ１と、第２のレンズＬ２と、第３のレンズＬ３と、第４のレンズＬ４と、第５のレンズＬ５とが配置されている。前記第１のレンズＬ１の物体側面には、さらに絞り１７０が設けられており、前記第５のレンズＬ５と前記像面側面１９０との間にはガラス平板ＧＦが配置されている。
【００２１】
本実施例において、上記５つのレンズはいずれもプラスチックレンズであり、その具体的な構成は以下の通りである。
【００２２】
前記第１のレンズＬ１は正レンズであり、正の屈折力を有し、その物体側面１１２が凸面であり、その像面側面１１４が凹面であり、且つ前記物体側面１１２及び像面側面１１４は非球面であり、前記第１のレンズＬ１の像面側面１１４には３つの変曲点が設けられている。
【００２３】
前記第２のレンズＬ２は、負レンズであり、負の屈折力を有し、その物体側面１２２は凹面であり、その像面側面１２４は凹面であり、且つ前記物体側面１２２及び像面側面１２４が非球面であり、前記第２のレンズＬ２の像面側面１２２には２つの変曲点と１つの停留点が設けられている。
【００２４】
前記第３のレンズＬ３は正レンズであり、正の屈折力を有し、その物体側面１３２が凸面であり、その像面側面１３４が凹面であり、且つ前記物体側面１３２及び像面側面１３４は非球面であり、前記第３のレンズＬ３の像面側面１３４には２つの変曲点が設けられている。
【００２５】
前記第４のレンズＬ４は負レンズであり、負の屈折力を有し、その物体側面１４２は凸面であり、その像面側面１４４が凹面であり、且つ前記物体側面１４２及び像面側面１４４は非球面であり、前記第４のレンズＬ４の物体側面１４２には１つの変曲点と１つの停留点が設けられ、その像面側面１４４には３つの変曲点と１つの停留点が設けられている。
【００２６】
前記第５のレンズＬ５は負レンズであり、負の屈折力を有し、その物体側面１５２は凹面であり、その像面側面１５４は凹面であり、且つ前記物体側面１５２及び像面側面１５４は非球面であり、前記第５のレンズＬ５の物体側面１５２には１つの変曲点が設けられ、前記第５のレンズＬ５の像面側面１５４には２つの変曲点と１つの停留点が設けられている。
【００２７】
ここで、物体側面は凸面であるとは、物体側面が物体に向けて凸形状に形成することを意味する。物体側面が凹面であるとは、物体側面が物体に向けて凹形状に形成することを意味する。像面側面が凸面であるとは、像面側面が像面に向けて凸形状に形成することを意味する。像面側面が凹面であるとは、像面側面が像面に向けて凹形状に形成することを意味する。
【００２８】
前記絞り１７０は、前記第１のレンズＬ１の物体側面１１２における物体側に近い方向に設けられており、光入射量及び被写界深度を制御することに用いられる。前記ガラス平板ＧＦとしては、ガラスカバーシート又はフィルターを使用してもよく、前記フィルターは光線をフィルタリングする機能を有し、前記フィルターの種類は実際の需要に応じて選択することができる。前記第５のレンズＬ５と前記像面１９０との間にはガラス平板ＧＦが設けられなくてもよい。
【００２９】
本発明に係る撮像レンズにおいて、前記撮像レンズＬＡに対する高解像度の結像及び長い焦点距離の設計要求を満たすために、前記撮像レンズＬＡの第１のレンズＬ１、第２のレンズＬ２、第３のレンズＬ３、第４のレンズＬ４及び第５のレンズＬ５は、以下の条件式を満足する必要がある。
０．５＜ｆ１／ｆ＜０．７            (１)
−２＜ｆ２／ｆ＜−０．５          (２)
１．６＜ｆ３／ｆ＜２．０            (３)
−２．１＜ｆ４／ｆ＜−１．４５    (４)
−１．５＜ｆ５／ｆ＜−１．２       (５)
ただし、
ｆ:前記撮像レンズ全体の焦点距離
ｆ１:第１のレンズの焦点距離
ｆ２:第２のレンズの焦点距離
ｆ３:第３のレンズの焦点距離
ｆ４:第４のレンズの焦点距離
ｆ５:第５のレンズの焦点距離
【００３０】
条件式(１)〜(５)は、前記第１のレンズＬ１、第２のレンズＬ２、第３のレンズＬ３、第４のレンズＬ４及び第５のレンズＬ５の焦点距離を限定している。条件式(１)〜(５)範囲外で長焦点距離のレンズの小型化及び高解像度化を実現し難い。
【００３１】
それと同時に、前記撮像レンズＬＡが短光学長さ、低敏感度、高感度、低画素色差、低コストのメリットを有するように、第１のレンズＬ１、第２のレンズＬ２、第３のレンズＬ３、第４のレンズＬ４及び第５のレンズＬ５のパラメータは以下の範囲に限定されることが好ましい。
【００３２】
一、焦点距離:
前記撮像レンズＬＡの全体の構成において、前記撮像レンズＬＡの第１のレンズＬ１、第２のレンズＬ２、第３のレンズＬ３、第４のレンズＬ４及び第５のレンズＬ５の焦点距離は、以下の条件を満たす必要がある。
１．５ｍｍ＜ｆ１＜３．０ｍｍ、−５ｍｍ＜ｆ２＜−２ｍｍ、
８ｍｍ＜ｆ３＜１５ｍｍ、 −１２ｍｍ＜ｆ４＜−２ｍｍ、
−１０ｍｍ＜ｆ５＜−４ｍｍ。
【００３３】
二、屈折率
前記撮像レンズＬＡの全体の構成において、前記撮像レンズＬＡの第１のレンズＬ１、第２のレンズＬ２、第３のレンズＬ３、第４のレンズＬ４、第５のレンズＬ５、第６のレンズ１６０及び第７のレンズ１７０の屈折率は、以下の条件を満足する必要がある。
１．５０＜ｎ１＜１．５５、１．６０＜ｎ２＜１．７０、
１．６０＜ｎ３＜１．７０、１．５０＜ｎ４＜１．５５、
１．５０＜ｎ５＜１．５５、
ただし、
ｎ１:第１のレンズの屈折率
ｎ２:第２のレンズの屈折率
ｎ３:第３のレンズの屈折率
ｎ４:第４のレンズの屈折率
ｎ５:第５のレンズの屈折率
【００３４】
三、アッベ数
前記撮像レンズＬＡの全体の構成において、前記撮像レンズＬＡの第１のレンズＬ１、第２のレンズＬ２、第３のレンズＬ３、第４のレンズＬ４、第５のレンズＬ５、第６のレンズ１６０及び第７のレンズ１７０のアッベ数は、以下の条件を満足する必要がある。
４０＜ｖ１＜６０、１５＜ｖ２＜３０、１５＜ｖ３＜３０、
４０＜ｖ４＜６０、４０＜ｖ５＜６０;
ただし、
ｖ１:第１のレンズのアッベ数
ｖ２:第２のレンズのアッベ数
ｖ３:第３のレンズのアッベ数
ｖ４:第４のレンズのアッベ数
ｖ５:第５のレンズのアッベ数
【００３５】
前記第１のレンズＬ１、前記第２のレンズＬ２、前記第３のレンズＬ３、前記第４のレンズＬ４及び前記第５のレンズＬ５の焦点距離、屈折率及びアッベ数は上記の条件を満たしていない場合、前記撮像レンズＬＡの色収差特性とテレセントリック特性が劣化する可能性があり、しかも、前記撮像レンズＬＡの敏感度を増大させ、前記撮像レンズＬＡの小型化を実現し難い、且つ前記撮像レンズＬＡのコストダウンに不利である。
【００３６】
前記第１のレンズＬ１は、正レンズであり、前記撮像レンズＬＡの主な屈折力を負担し、システムの全長の減少に有利である。前記第２のレンズＬ２と第３のレンズＬ３とは、高屈折率で低アッベ数の材料を採用して、システムの色収差を合理的に補正することができる。前記第４のレンズＬ４と前記第５のレンズＬ５とは、負レンズであり、システムの像面湾曲を有効的に減少させることができる。前記撮像レンズＬＡを構成する５つのレンズは、いずれも上述した構成を有し、且つすべての条件式を満足しているため、製造された前記撮像レンズＬＡは、優れた光学特征、ｆ／ＴＴＬ＜１．０７の長焦点距離システムの小型化及びＦＮｏ≦２．６の高感度を有し、ただし、ＴＴＬは光学長さであり、即ち、前記第１のレンズＬ１の物体側面から像面までの距離であり、ＦＮｏ はＦ値であり、即ち、前記撮像レンズ全体の焦点距離と入射瞳径との比である。
【００３７】
以下、実施例を使用して本発明の撮像レンズＬＡを説明する。実施例にされた符号は、以下の通りである。距離、半径及び中心厚さの単位はｍｍである。
ｆ:前記撮像レンズ全体の焦点距離
ｆ１:第１のレンズの焦点距離
ｆ２:第２のレンズの焦点距離
ｆ３:第３のレンズの焦点距離
ｆ４:第４のレンズの焦点距離
ｆ５:第５のレンズの焦点距離
Ｆｎｏ: Ｆ値
２ω:全画角
Ｓ１:絞り
Ｒ:光学面の曲率半径、レンズの場合、中心曲率半径である
Ｒ１:第１のレンズＬ１の物体側面の曲率半径
Ｒ２:第１のレンズＬ１の像面側面の曲率半径
Ｒ３:第２のレンズＬ２の物体側面の曲率半径
Ｒ４:第２のレンズＬ２の像面側面の曲率半径
Ｒ５:第３のレンズＬ３の物体側面の曲率半径
Ｒ６:第３のレンズＬ３の像面側面の曲率半径
Ｒ７:第２のレンズＬ４の物体側面の曲率半径
Ｒ８:第２のレンズＬ４の像面側面の曲率半径
Ｒ９:第３のレンズＬ５の物体側面の曲率半径
Ｒ１０:第３のレンズＬ５の像面側面の曲率半径
Ｒ１１:ガラス平板ＧＦの物体側面の曲率半径
Ｒ１２:ガラス平板ＧＦの像面側面の曲率半径
ｄ:レンズの中心厚さとレンズとの間の距離
ｄ１:絞りＳ１から第１のレンズＬ１の物体側面までの軸においての距離
ｄ２:第１のレンズＬ１の中心厚さ
ｄ３:第１のレンズＬ１の像面側面から第２のレンズＬ２の物体側面までの軸においての距離
ｄ４:第２のレンズＬ２の中心厚さ
ｄ５:第２のレンズＬ２の像面側面から第２のレンズＬ３の物体側面までの軸においての距離
ｄ６:第３のレンズＬ３の中心厚さ
ｄ７:第３のレンズＬ３の像面側面から第４のレンズＬ４の物体側面までの軸においての距離
ｄ８:第４のレンズＬ４の中心厚さ
ｄ９:第４のレンズＬ４の像面側面から第５のレンズＬ５の物体側面までの軸においての距離
ｄ１０:第５のレンズＬ５の中心厚さ
ｄ１１:第５のレンズＬ５の像面側面からガラス平板ＧＦの物体側面までの軸においての距離
ｄ１２:ガラス平板ＧＦの中心厚さ
ｄ１３:ガラス平板ＧＦの像面側面から像面までの軸においての距離
ｎｄ:ｄ線の屈折率
ｎｄ１: 第１のレンズＬ１のｄ線の屈折率
ｎｄ２: 第２のレンズＬ２のｄ線の屈折率
ｎｄ３: 第３のレンズＬ３のｄ線の屈折率
ｎｄ４: 第４のレンズＬ４のｄ線の屈折率
ｎｄ５: 第５のレンズＬ５のｄ線の屈折率
ｎｄ６: ガラス平板ＧＦのｄ線の屈折率
ｖ:アッベ数
ｖ１:第１のレンズＬ１のアッベ数
ｖ２:第２のレンズＬ２のアッベ数
ｖ３:第３のレンズＬ３のアッベ数
ｖ４:第２のレンズＬ４のアッベ数
ｖ５:第３のレンズＬ５のアッベ数
ｖ６:ガラス平板ＧＦのアッベ数
ＴＴＬ:光学長さ(第１のレンズＬ１の物体側面から結像面までの軸においての距離)
ＬＢ: 第５のレンズＬ５の像面側面から結像面までの軸においての距離(ガラス平板ＧＦの厚さを含む)
ＩＨ: 像高
ｙ＝(ｘ２／Ｒ)／[１＋{１−(ｋ＋１)(ｘ２／Ｒ２)}１／２]
＋Ａ４ｘ４＋Ａ６ｘ６＋Ａ８ｘ８＋Ａ１０ｘ１０＋Ａ１２ｘ１２＋Ａ１４ｘ１４＋Ａ１６ｘ１６       (６)
ただし、Ｒは軸においての曲率半径であり、ｋは円錐形係数であり、Ａ４、Ａ６、Ａ８、Ａ１０、Ａ１２、Ａ１４、Ａ１６は非球面係数である。
【００３８】
便利のため、各レンズ面の非球面としては、条件式(６)で表される非球面を使用しているが、条件式(６) で表れる非球面多項式の形式に限定されていない。
【００３９】
図１は、本実施例の構成を示す模式図である。表１には、実施例１において撮像レンズＬＡを構成する第１のレンズＬ１〜第５のレンズＬ５の物体側及び像面側の曲率半径Ｒ、レンズの中心厚さ又はレンズ間の距離ｄ、屈折率ｎｄ、アッベ数ｖを示した。表２には、円錐形係数ｋ、非球面係数を示した。表３には、実施例における各数値及び条件式(１)〜(５)で限定されるパラメータに対応する数値を示した。
【００４０】
【表１】
2018028649.tif 000003
【００４１】
【表２】
2018028649.tif 000004
【００４２】
【表３】
2018028649.tif 000005
【００４３】
図２、図３、図４及び図５を同時に参照し、図２は図１に示す撮像レンズの像面湾曲を示す図であり、図３は図１に示す撮像レンズの歪みを示す図であり、図４は図１に示す撮像レンズの像面湾曲歪みを示す図であり、図５は図１に示す撮像レンズのデフォーカスのプロフィールを示す図である。また、図２の像面湾曲Ｓは、弧矢方向の像面湾曲であり、Ｔは経線方向の像面湾曲である。図４において、Ｔ１とＳ１は、それぞれ１００線対／ミリメートルの時の経線方向及び弧矢方向の視界ＭＴＦ曲線であり、Ｔ２とＳ２は、それぞれ２００線対／ミリメートルの時の経線方向及び弧矢方向の視界ＭＴＦ曲線である。図２、図３、図４及び図５に示すように、本発明に係る前記撮像レンズＬＡは、比較的高い光学性能を有する。
【００４４】
本発明に係る撮像レンズＬＡは、以下の有益な効果を有する。
本発明は、面型を合理的に最適化し、屈折力を合理的に分配して、光学材料を合理的に選択することにより、小型電子機器に適合できる高解像度で結像する、長焦点距離の撮像レンズを設計した。前記第１のレンズＬ１は正レンズであり、前記撮像レンズＬＡの主な屈折力を負担し、システムの長さを効果的に減少させることができ、前記第２のレンズＬ２と前記第３のレンズＬ３とは、高屈折率で低アッベ数の材料を採用することにより、システムの色収差を効果的に減少させることができ、前記第４のレンズＬ４と前記第５のレンズＬ５とは、負レンズであり、システムの像面湾曲を効果的に減少させることができる。これにより、前記撮像レンズＬＡが高結像性能を取得すると共に、低敏感度と良好な光透過量を有し、且つ優れた光学特性、即ち、２ω＝４７．８°、ｆ／ＴＴＬ＜１．０７の長焦点距離のシステムの小型化、ＦＮｏ≦２．６の高感度を有している。
【００４５】
以上、本発明の好ましい実施例に過ぎず、本発明を限定しない。当業者にとっては、本発明は、各種の変更及び変形を行うことができる。本発明の精神及び原則の範囲内において行った何れの改正、等価変換、改良などは、全て本発明の特許請求の範囲内に含まれる。
【図１】
2018028649.tif 000006
【図２】
2018028649.tif 000007
【図３】
2018028649.tif 000008
【図４】
2018028649.tif 000009
【図５】
2018028649.tif 000010